(57)【要約】【課題】カラーセンサの受光範囲を制限せず、また、光源ユニット間に隔壁等を設けずに、バックライトの発光強度を制御する。【解決手段】バックライトの発光面がｎ分割される領域にそれぞれ設けられ、光源ユニットが発光する発光強度を検出する複数のセンサと、光源ユニットの全てを発光させた場合にセンサによって検出される検出結果である全体発光測定値と、個別基準値記憶部に記憶された個別基準値とに基づいて、光源ユニットの全てが点灯した場合における発光強度から光源ユニットの各々の発光強度を算出する第１の算出部と、第１の算出部が抽出した光源ユニット毎の発光強度と目標値記憶部に記憶された発光強度の目標値とに基づいて、各光源ユニットの発光強度を制御する制御部と、を有する。【選択図】図１
2011165582.tif 000002
【特許請求の範囲】
【請求項１】
表示装置に設けられるバックライトを制御するバックライト制御装置であって、
複数の光源ユニットのうちいずれか１つの光源ユニットを点灯させた場合における光源ユニット毎の発光強度の目標値を記憶する個別基準値記憶部と、
前記バックライトの発光面がｎ分割される領域にそれぞれ設けられ、光源ユニットが発光する発光強度を検出する複数のセンサと、
前記光源ユニットの全てを発光させた場合に前記センサによって検出される検出結果である全体発光測定値と、前記個別基準値記憶部に記憶された個別基準値とに基づいて、前記光源ユニットの全てが点灯した場合における発光強度から光源ユニットの各々の発光強度を算出する第１の算出部と、
前記光源ユニットを全て点灯させる場合における前記光源ユニットの各々の発光強度の目標値を記憶する目標値記憶部と、
前記第１の算出部が抽出した光源ユニット毎の発光強度と前記目標値記憶部に記憶された発光強度の目標値とに基づいて、各光源ユニットの発光強度を制御する制御部と、
を有すること特徴とするバックライト制御装置。
【請求項２】
前記光源ユニットを全て点灯させた場合に前記センサそれぞれが検出する発光強度である全体発光基準値を記憶する全体発光基準値記憶部と、
前記個別基準値記憶部に記憶された個別基準値と、前記全体発光基準値記憶部に記憶された全体発光基準値とに基づいて、前記光源ユニットの全てが点灯した状態の発光強度から光源ユニットの各々の発光強度を算出する第２の算出部と、
前記第２の算出部によって算出される各光源ユニットの発光強度を、前記光源ユニットの各々の発光強度の目標値として前記目標値記憶部に書き込む書き込み部と
を有することを特徴とする請求項１記載のバックライト制御装置。
【請求項３】
前記発光強度は、輝度または色度であることを特徴とする請求項１または請求項２記載のバックライト制御装置。
【請求項４】
表示装置に設けられるバックライトを制御するバックライト制御装置におけるバックライト制御方法であって、
前記バックライトの発光面がｎ分割される領域にそれぞれ設けられるセンサが、光源ユニットが発光する発光強度を検出し、
第１の算出部が、前記光源ユニットの全てを発光させた場合に前記センサによって検出される検出結果である全体発光測定値と、複数の光源ユニットのうちいずれか１つの光源ユニットを点灯させた場合における光源ユニット毎の発光強度の目標値を記憶する個別基準値記憶部に記憶された個別基準値とに基づいて、前記光源ユニットの全てが点灯した場合における発光強度から光源ユニットの各々の発光強度を算出し、
制御部が、前記第１の算出部が抽出した光源ユニット毎の発光強度と、前記光源ユニットを全て点灯させる場合における前記光源ユニットの各々の発光強度の目標値を記憶する目標値記憶部に記憶された発光強度の目標値とに基づいて、各光源ユニットの発光強度を制御する
こと特徴とするバックライト制御方法。
【発明の詳細な説明】
【技術分野】
【０００１】
本発明は、表示装置に設けられたバックライトの発光強度を発光面において均一になるように制御するバックライト制御装置、バックライト制御方法に関する。
【背景技術】
【０００２】
バックライト装置は、例えば、ベース基材が４つの領域に光源ユニットとして分割される。この光源ユニットには、それぞれ、光源ユニットの略中央にセンサが設けられるとともに、複数の発光素子が設けられる。
図１０は、バックライト装置の構成を表す概略ブロック図である。ここでは、例えば、４つの光源ユニットＡ１〜Ａ４に、一つずつカラーセンサ（Ｂ１０〜Ｂ４０）が設けられる。このバックライト装置の発光強度を測定する場合、４つの光源ユニットＡ１〜Ａ４全てが発光した状態において、カラーセンサＢ１０〜カラーセンサＢ４０は、これら光源ユニットＡ１０〜Ａ４０から発光された光を検出する。
【０００３】
制御部２００は、カラーセンサＢ１０〜カラーセンサＢ４０が検出した検出結果と、記憶部３００に記憶された目標値のデータとを比較し、差分を抽出し、この差分が０になるように、駆動部Ｃ１０〜駆動部Ｃ４０を駆動させ光源ユニットＡ１０〜Ａ４０を発光させるように制御する。これにより、輝度や色度が発光面内において均一になるように制御される。
【０００４】
このように、発光素子が複数設けられた光源ユニットからなるディスプレイ装置において、輝度や色度が均一になるように制御するものが、例えば下記の特許文献１に記載されている。
【先行技術文献】
【特許文献】
【０００５】
【特許文献１】特開２００７−５３１１２２号公報
【発明の概要】
【発明が解決しようとする課題】
【０００６】
しかしながら、輝度や色度を測定する場合、上述したように発光面全体を発光させた状態（全ての光源ユニットを点灯させて状態）において目標値になるように制御することが望まれている場合がある。この場合、上述のディスプレイ装置においては、カラーセンサが検出する光の一部に、隣接する他の光源ユニットからの光が含まれる場合、図１１に示すように、目標とする輝度（あるいは色度）に速やかに収束できないという問題があった。例えば、光源ユニットＡ１０〜Ａ４０のうち、光源ユニットＡ１０を０％に消灯すると、輝度を変更していないはずの光源ユニットＡ２０〜Ａ４０内のカラーセンサ出力値も、光源ユニットＡ１０が消灯したことによって変動し、かつ光源ユニットＡ１０内のカラーセンサ出力値も光源ユニットＡ２０〜Ａ４０から発光された光の影響を受け、０％にならない現象が生じる。このため補正対象となる光源ユニットの輝度・色度の変化量を正確に把握できず、目標値に速やかに収束させることが困難であった。
これに対し、隣接する光源ユニットの影響を受けない場所にカラーセンサを配置したり、光源ユニット間に隔壁を設けたり、あるいは、カラーセンサの受光範囲を限定するなどの提案もあるが、物理的な構成が新たに必要となり、構成が複雑になってしまうという問題がある。
【０００７】
本発明は、このような事情に鑑みてなされたもので、その目的は、カラーセンサの受光範囲を制限せず、また、光源ユニット間に隔壁等を設けずに、バックライトの発光強度を制御することができるバックライト制御装置、バックライト制御方法を提供することにある。
【課題を解決するための手段】
【０００８】
上述した課題を解決するために、本発明は、表示装置に設けられるバックライトを制御するバックライト制御装置であって、複数の光源ユニットのうちいずれか１つの光源ユニットを点灯させた場合における光源ユニット毎の発光強度の目標値を記憶する個別基準値記憶部と、前記バックライトの発光面がｎ分割される領域にそれぞれ設けられ、光源ユニットが発光する発光強度を検出する複数のセンサと、前記光源ユニットの全てを発光させた場合に前記センサによって検出される検出結果である全体発光測定値と、前記個別基準値記憶部に記憶された個別基準値とに基づいて、前記光源ユニットの全てが点灯した場合における発光強度から光源ユニットの各々の発光強度を算出する第１の算出部と、前記光源ユニットを全て点灯させる場合における前記光源ユニットの各々の発光強度の目標値を記憶する目標値記憶部と、前記第１の算出部が抽出した光源ユニット毎の発光強度と前記目標値記憶部に記憶された発光強度の目標値とに基づいて、各光源ユニットの発光強度を制御する制御部と、を有すること特徴とする。
【０００９】
また、本発明は、前記光源ユニットを全て点灯させた場合に前記センサそれぞれが検出する発光強度である全体発光基準値を記憶する全体発光基準値記憶部と、前記個別基準値記憶部に記憶された個別基準値と、前記全体発光基準値記憶部に記憶された全体発光基準値とに基づいて、前記光源ユニットの全てが点灯した状態の発光強度から光源ユニットの各々の発光強度を算出する第２の算出部と、前記第２の算出部によって算出される各光源ユニットの発光強度を、前記光源ユニットの各々の発光強度の目標値として前記目標値記憶部に書き込む書き込み部とを有することを特徴とする。
【００１０】
また、本発明は、前記発光強度は、輝度または色度であることを特徴とする。
【００１１】
また、本発明は、表示装置に設けられるバックライトを制御するバックライト制御装置におけるバックライト制御方法であって、前記バックライトの発光面がｎ分割される領域にそれぞれ設けられるセンサが、光源ユニットが発光する発光強度を検出し、第１の算出部が、前記光源ユニットの全てを発光させた場合に前記センサによって検出される検出結果である全体発光測定値と、複数の光源ユニットのうちいずれか１つの光源ユニットを点灯させた場合における光源ユニット毎の発光強度の目標値を記憶する個別基準値記憶部に記憶された個別基準値とに基づいて、前記光源ユニットの全てが点灯した場合における発光強度から光源ユニットの各々の発光強度を算出し、制御部が、前記第１の算出部が抽出した光源ユニット毎の発光強度と、前記光源ユニットを全て点灯させる場合における前記光源ユニットの各々の発光強度の目標値を記憶する目標値記憶部に記憶された発光強度の目標値とに基づいて、各光源ユニットの発光強度を制御すること特徴とする。
【発明の効果】
【００１２】
以上説明したように、この発明によれば、発光面内を複数の光源ユニットに分割し、各光源ユニットの発光強度の変化を各光源ユニット内に設けたセンサで検出し、センサが検出する光の一部に、隣接する他の光源ユニットからの光が含まれていても、その隣接する光源ユニットからの光を除外し、個々の光源ユニットの発光強度を算出するようにしたので、光源ユニットの発光強度を個別に補正することができるとともに、目標とする発光強度に補正するまでを速やかに収束することができる。
また、本発明によれば、光源ユニット間の干渉を防ぐ光学的制約を講じる必要がない。
【図面の簡単な説明】
【００１３】
【図１】この発明の一実施形態によるバックライト制御装置が設けられる表示装置の概略構成を表す図である。
【図２】この発明の一実施形態によるバックライト制御装置の構成を示す概略ブロック図である。
【図３】この発明の一実施形態によるバックライト制御装置の動を説明するフローチャートである。
【図４】図３ステップＳ３の処理について説明するフローチャートである。
【図５】図３ステップＳ４の処理について説明するフローチャートである。
【図６】図３ステップＳ５の処理について説明するフローチャートである。
【図７】図３ステップＳ６の処理について説明するフローチャートである。
【図８】光源ユニットＡ１を消灯した場合におけるカラーセンサの検出結果と光源ユニットの出力値とを表す図である。
【図９】発光強度と時間の関係を表す図である。
【図１０】バックライト装置の構成を表す概略ブロック図である。
【図１１】発光強度と時間の関係を表す図である。
【発明を実施するための形態】
【００１４】
以下、本発明の一実施形態によるバックライト制御装置について図面を参照して説明する。図１は、バックライト制御装置が設けられる表示装置の概略構成を表す図である。ベース基材１１は４つの領域に分割され、光源ユニットＡ１〜Ａ４によって構成される。光源ユニットＡ１には、複数の発光素子群１２−１が設けられるとともに、光源ユニットＡ１の略中央にカラーセンサＢ１が設けられる。発光素子群１２−１は、例えば、１つの発光素子がＲ（赤）、Ｇ（緑）、Ｂ（青）の光源によって構成されている。カラーセンサＢ１は、Ｒ（赤）、Ｇ（緑）、Ｂ（青）の光源のそれぞれの発光強度を測定する。また、光源ユニットＡ２〜Ａ４についても同様に、光源ユニットＡ２には発光素子群１２−２とカラーセンサ２、光源ユニットＡ３には発光素子群１２−３とカラーセンサ３、光源ユニットＡ４には発光素子群１２−４とカラーセンサ４が設けられる。
【００１５】
図２は、この発明の一実施形態によるバックライト制御装置の構成を示す概略ブロック図である。光源ユニットＡ１の発光素子群１２−１には、駆動部Ｃ１から電力が供給され、この供給された電力に応じて発光素子群１２−１が発光する。光源ユニットＡ２〜Ａ４は、光源ユニットＡ１と同様に、駆動部Ｃ２〜駆動部Ｃ４から供給される電源によって発光する。
カラーセンサＢ１〜カラーセンサＢ４は、光源ユニットＡ１〜Ａ４が発光する光を受光し、その発光強度を検出する。このカラーセンサＢ１〜４は、Ｒ、Ｇ、Ｂの波長に応じた光の強度を検出する。ここで、発光強度とは、発光素子群が発光した場合における光の強さを表し、例えば、輝度や色度である。
【００１６】
記憶部１０は、各種データを記憶する。この記憶部１０は、複数の光源ユニットのうちいずれか１つの光源ユニットを点灯させた場合における光源ユニット毎の発光強度の目標値である個別基準値（Ｓｎ（１）〜Ｓｎ（４））を記憶する。
また、記憶部１０は、全ての光源ユニットＡ１〜Ａ４を点灯させる場合における光源ユニットの各々の発光強度の目標値（後述するステップＳ５にて記憶される値）を記憶する。
また、記憶部１０は、光源ユニットを全て点灯させた場合にカラーセンサそれぞれが検出する発光強度である全体発光基準値（Ｄ１〜Ｄ４）を記憶する。
【００１７】
制御部２０は、各光源ユニットの点灯や消灯を制御するとともに、輝度や色度を光源ユニット毎に独立して制御することが可能である。
制御部２０は、光源ユニットの全てを発光させた場合に、カラーセンサによって検出される検出結果である全体発光測定値と、記憶部１０に記憶された個別基準値とに基づいて、光源ユニットの全てが点灯した状態の発光強度から、光源ユニットの各々の発光強度を当該光源ユニットのそれぞれについて抽出（算出）する機能を有する（第１の算出部に相当）。
また、制御部２０は、抽出した光源ユニット毎の発光強度と記憶部１０に記憶された発光強度の目標値とに基づいて、その差分を算出し、算出された差分が所定の値（例えば０、または予め決められた許容誤差ｅ未満）になるように、駆動部Ｃ１〜Ｃ４によって、各光源ユニットの発光強度を制御する機能を有する（制御部に相当）。
【００１８】
また、制御部２０は、全ての光源ユニットが点灯した状態においてカラーセンサによって発光強度を検出し、この発光強度を基に、他の光源ユニットからの影響が除外された発光強度を算出する。すなわち、制御部２０は、記憶部１０に記憶された個別基準値と全体発光基準値とに基づいて、光源ユニットの全てが点灯した状態の発光強度から光源ユニットの各々の発光強度を算出し（第２の算出部に相当）、この算出された各光源ユニットの各々の発光強度を、光源ユニットの各々の発光強度の目標値として記憶部１０に書き込む機能（書き込み部）を有する。
【００１９】
駆動部Ｃ１は、制御部２０によって生成された制御信号を受け、その制御信号に応じた電力を光源ユニットＡ１に出力する。駆動部Ｃ２〜駆動部Ｃ４は、駆動部Ｃ１と同様に、制御部２０から出力される制御信号に応じた電力をそれぞれ対応する光源ユニットＡ２〜Ａ４に出力する。
【００２０】
次に、上述した構成におけるバックライト制御装置の動作について、図３のフローチャートを用いて説明する。
ここでは、光源ユニットが４つであり、カラーセンサが４つであり、また、説明を簡略化するため、発光素子群のうち発光する色が単色である場合について説明する。
まず、制御部２０は、輝度分布、色度分布をセンサユニット１によって計測し（ステップＳ１）、表示画面内の輝度ムラ、色度ムラが最小で、輝度、色度が最適値となるように、各光源ユニット毎に各色の発光素子の投入電力を調整する（ステップＳ２）。このステップＳ１とステップＳ２は、工場出荷時に行われる場合もある。
【００２１】
次に、制御部２０は、１つの光源ユニットに設けられた発光素子群を点灯させて、この発光状態において、各カラーセンサＢ１〜Ｂ４によって、それぞれ、発光強度を検出する。これを、各ユニット毎に行い、それぞれの検出値を記憶部１０に記憶する（ステップＳ３）。例えば、制御部２０は、光源ユニットＡ１を点灯させ、カラーセンサＢ１〜Ｂ４のそれぞれの検出値を得て、これらの検出値を個別基準値Ｓ１（１）〜Ｓ４（４）として記憶部１０に記憶する。また、同様に、光源ユニットＡ２を点灯させて得られる検出結果であるＳ２（１）〜Ｓ２（４）、光源ユニットＡ３を点灯させて得られる検出結果であるＳ３（１）〜Ｓ３（４）、光源ユニットＡ４を点灯させて得られる検出結果であるＳ４（１）〜Ｓ４（４）を個別基準値として記憶部１０に記憶する。
【００２２】
次に、制御部２０は、全光源ユニットの発光素子を同時に点灯させた状態において、カラーセンサＢ１〜Ｂ４によって、それぞれ発光強度を検出し、その検出結果を全体発光基準値として記憶する（ステップＳ４）。ここでは、全体発光基準値として、光源ユニット１〜４が全て点灯した状態においてカラーセンサＢ１が検出した検出結果をＤ１、カラーセンサＢ２が検出した検出結果をＤ２、カラーセンサＢ３が検出した検出結果をＤ３、カラーセンサＢ４が検出した検出結果をＤ４として記憶する。
【００２３】
次に、制御部２０は、発光強度Ｓ１（１）〜Ｓ４（４）及び、全体発光基準値Ｄ１〜Ｄ４に基づいて、他光源ユニットからの影響を除外した発光強度Ｌａ１〜Ｌａ４を算出し、光源ユニットの発光強度の目標値として、記憶部１０に記憶する（ステップＳ５）。
このステップＳ５までの処理を行うことによって、発光強度を制御するために予め記憶しておくデータが揃うことになる。
【００２４】
次に、制御部２０は、実際に発光強度の制御を行う。すなわち、制御部２０は、全光源ユニットＡ１〜Ａ４を点灯した状態において、カラーセンサＢ１〜Ｂ４によって発光強度Ｅ１〜Ｅ４を全体発光測定値として検出する。このとき、カラーセンサＢ１によって検出された発光強度をＥ１、カラーセンサＢ２によって検出された発光強度をＥ２、カラーセンサＢ３によって検出された発光強度をＥ３、カラーセンサＢ４によって検出された発光強度をＥ４として検出する。
次に、制御部２０は、個別基準値Ｓ１（１）〜Ｓ４（４）を記憶部１０から読み出し、個別基準値Ｓ１（１）〜Ｓ４（４）と全体発光測定値Ｅ１〜Ｅ４とに基づいて、他の光源ユニットからの影響を除外した個別発光強度Ｍａ（１）〜Ｍａ（４）を算出する。そして個別発光強度Ｍａ（１）〜Ｍａ（４）と光源ユニットの発光強度の目標値Ｌａ（１）〜Ｌａ（４）とを各々比較し、誤差が許容値ｅ以内となるように各光源ユニット毎に各色の発光素子の投入電力を制御する（ステップＳ６）。
なお、ステップＳ１からステップＳ４が一度行われた後、バックライトの発光強度を均一にする処理を行う場合、その都度、ステップＳ５、ステップＳ６を行う。
【００２５】
次に、図３ステップＳ３の処理について、図４のフローチャートを用いてさらに説明する。制御部２０は、まず、カウンタ値（ここではｎ）を１とし（ステップＳ３１）、光源ユニットｎの発光素子群を点灯する（ステップＳ３２）。そして検出結果をＳｎ（１）〜Ｓｎ（４）として記憶部１０に記憶する（ステップＳ３４）。次に、制御部２０は、ｎが分割数（例えば４）に達したか否かを判定する（ステップＳ３５）。ここではｎが１であるので、ｎを１だけカウントアップし（ステップＳ３６）、ステップＳ３２に移行し、次の光源ユニットを発光させる。
このステップＳ３２からステップＳ３４の処理は、例えば、ｎが１の場合、光源ユニット１の発光素子群１２−１を点灯する。そして、カラーセンサＢ１〜Ｂ４によって発光強度を検出し、検出結果であるＳ１（１）〜Ｓ４（４）が個別基準値として記憶される。以下同様に、ｎが４になるまで、ステップＳ３２からステップＳ３６を繰り返し、個別基準値が記憶される。
【００２６】
次に、図３ステップＳ４の処理について、図５のフローチャートを用いてさらに説明する。
制御部２０は、全光源ユニット（１〜４）の発光素子群を全て点灯させ（ステップＳ４１）、この発光状態において、カラーセンサＢ１〜Ｂ４によって発光強度を検出する（ステップＳ４２）。そして、カラーセンサＢ１によって得られる発光強度であるＤ１、カラーセンサＢ２によって得られる発光強度であるＤ２、カラーセンサＢ３によって得られる発光強度であるＤ３、カラーセンサＢ４によって得られる発光強度であるＤ４を、全体発光基準値として記憶部１０に記憶する（ステップＳ４３）。
【００２７】
次に、図３ステップＳ５の処理について、図６のフローチャートを用いてさらに説明する。
制御部２０は、個別基準値Ｓ１（１）〜Ｓ４（４）を記憶部１０から読み出し、この個別基準値Ｓ１（１）〜Ｓ４（４）と、全体発光基準値Ｄ１〜Ｄ４とを用いて、他の光源ユニットからの影響を除外した発光強度Ｌａ（１）〜Ｌａ（４）を算出し、算出値を光源ユニットの発光強度の目標値として記憶部１０に記憶する（ステップＳ５１）。この算出は、例えば、以下に示す式１に基づいて算出する。
【００２８】
【数１】
2011165582.tif 000003
【００２９】
次に、図３ステップＳ６の処理について、図７のフローチャートを用いてさらに説明する。
制御部２０は、光源ユニットの全ての発光素子群を点灯させ（ステップＳ６１）、ｎを１とし（ステップＳ６２）、カラーセンサＢ１〜Ｂ４のそれぞれによって、発光強度を検出する（ステップＳ６３）。ここでは、カラーセンサＢ１〜Ｂ４によって得られる検出結果であるＥ１〜Ｅ４が全体発光測定値として得られる（ステップＳ６４）。
次に制御部２０は、各光源ユニットの個別発光強度Ｍａｎを算出する。この算出は、例えば、以下に示す式２に基づいて算出する。
【００３０】
【数２】
2011165582.tif 000004
【００３１】
次に、制御部２０は、光源ユニットの発光強度の目標値Ｌａｎを記憶部１０から読み出して、これを一時保持し（ステップＳ６６）、算出された個別発光強度Ｍａｎとこの光源ユニットの発光強度の目標値Ｌａｎとを比較する（ステップＳ６７）。
制御部２０は、個別発光強度Ｍａｎと光源ユニットの発光強度の目標値Ｌａｎとの差の絶対値を算出し、この差の絶対値が、予め決められた許容誤差ｅ未満であるか否かを判定する（ステップＳ６８）。差の絶対値が許容誤差ｅ未満である場合、ｎが分割数すなわち４に達したか否かを判定し（ステップＳ６９）、分割数に達していれば処理を終了し、分割数に達していない場合には、ｎに１を加算し（ステップＳ７０）、ステップＳ６３に移行する。
【００３２】
一方、ステップＳ６８において、差の絶対値が許容誤差ｅ未満ではない場合、すなわち、許容誤差ｅ以上である場合には、光源ユニットｎの発光素子群の投入電力を（Ｌａｎ／Ｍａｎ）倍するように駆動部に指示する（ステップＳ７１）。これにより、駆動部から発光素子群に供給される電力が（Ｌａｎ／Ｍａｎ）倍になるように制御される。
ここで、ｎが１である場合、ステップＳ６３からＳ６８の処理が行われると、光源ユニットＡ１の発光強度Ｍａ１が、光源ユニットの発光強度の目標値Ｌａ１の許容誤算ｅの範囲内になるように発光強度が制御される。例えば、制御部２０は、駆動部Ｃ１から光源ユニットＡ１の発光素子群に供給する電力を、現在供給している電力の（Ｌａ１／Ｍａ１）倍にするように指示する。これにより、駆動部Ｃ４から発光素子群１２−１に供給される電力が、（Ｌａ１／Ｍａ１）倍になり、この電力に応じて発光強度が大きくあるいは小さくなる。
この制御が、他の光源ユニットＡ２〜Ａ４についても行われる。
【００３３】
図８は、光源ユニットＡ１を消灯した場合におけるカラーセンサの検出結果と光源ユニットの出力値とを表す図である。
この図において、光源ユニットＡ１のうち、光源ユニットＡ１を消灯し、他の光源ユニットＡ１を点灯させた状態においてカラーセンサＢ１〜Ｂ４によって発光強度を測定した場合には、光源ユニットＡ１を消灯しているにもかかわらず、光源ユニットＡ１に設けられたカラーセンサＢ１は、ある程度の発光強度があることを検出している（ここでは、検出結果である出力値が３０）。これは、他の光源ユニットＡ２〜Ａ４が発光した光をカラーセンサＢ１が受光しているからと考えられる。
このように、４つある光源ユニットのうちいずれかを消灯したとしても、その消灯した光源ユニットにおけるカラーセンサにも影響が及ぼされ、出力値が検出されてしまう。しかし、上述した実施形態によれば、カラーセンサが設けられた光源ユニットの他の光源ユニットからの光による影響を除外した値が得られることから、各光源ユニットの発光強度（輝度あるいは色度）を、その光源ユニット自身が発光した強度を出力値として得ることができる。
【００３４】
図９は、発光強度と時間の関係を表す図である。この図に示すように、従来技術におけるバックライト制御装置では、発光強度の目標値の近傍に収束するまでの時間が長引いている（発光強度の変動が大きい）が（符号ａ）、上述のした実施形態おいては発光強度の目標値の近傍に収束するまでの時間が従来に比べて短くする（変動が小さい）ことができる（符号ｂ）。
【００３５】
なお、他の実施例として、上述した実施形態におけるバックライト制御装置は、発光面内の輝度・色度ムラ補正に限らず、光源ユニット毎に独立した輝度・色度を表示（点灯）し、かつ時間的に各輝度・色度を変化させる用途にも適する。
【００３６】
なお、上述した実施形態において、式１、式２の演算は、記憶部１０に演算式を記憶しておき、読み出して各種データを代入して行うようにしてもよいし、制御部２０自身が式１、式２を実行するプログラムを実行することにより行うようにしてもよい。
【００３７】
また、以上説明した実施形態によれば、他光源ユニットからの干渉を信号処理で排除し、各光源ユニットに対する必要補正量を一意に算出することができる。
また、光源ユニット間の干渉を防ぐ光学的制約（センサ受光角を狭くする、光源ユニット間に隔壁を設けるなど）を講じる必要がなくなる。このため、光源ユニット内の平均的な発光強度（輝度・色度）を受光でき、また光源ユニット間の色差が目立ちにくい。
また、上述した実施形態によれば、補正対象となる光源ユニットの発光強度（輝度・色度）の抽出を、複数のカラーセンサで行うようにした。このため、カラーセンサの受光感度の個体バラツキに起因する発光面内の輝度・色度ムラを低減することができる。
【００３８】
また、図２における制御部２０、駆動部Ｃ１〜Ｃ４の機能を実現するためのプログラムをコンピュータ読み取り可能な記録媒体に記録して、この記録媒体に記録されたプログラムをコンピュータシステムに読み込ませ、実行することによりバックライトの制御を行ってもよい。なお、ここでいう「コンピュータシステム」とは、ＯＳや周辺機器等のハードウェアを含むものとする。
【００３９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００４０】
以上、この発明の実施形態について図面を参照して詳述してきたが、具体的な構成はこの実施形態に限られるものではなく、この発明の要旨を逸脱しない範囲の設計等も含まれる。
【符号の説明】
【００４１】
１０  記憶部
１２−１、１２−２、１２−３、１２−４  発光素子群
２０  制御部
Ａ１、Ａ２、Ａ３、Ａ４  光源ユニット
Ｂ１、Ｂ２、Ｂ３、Ｂ４  カラーセンサ
Ｃ１、Ｃ２、Ｃ３、Ｃ４  駆動部
【図１】
2011165582.tif 000005
【図２】
2011165582.tif 000006
【図３】
2011165582.tif 000007
【図４】
2011165582.tif 000008
【図５】
2011165582.tif 000009
【図６】
2011165582.tif 000010
【図７】
2011165582.tif 000011
【図８】
2011165582.tif 000012
【図９】
2011165582.tif 000013
【図１０】
2011165582.tif 000014
【図１１】
2011165582.tif 000015